【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
情報を処理する情報処理ユニットと、互いに隣接する第１及び第２の装着面を含むカートリッジ装着部と、該カートリッジ装着面に沿って配置された位置検出用パネルとを備えた本体に、薄板状基台と、シート保持部と、該薄板状基台上に配置され一端部が手めくり可能に前記シート保持部に保持された複数のシートと、前記薄板状基台に搭載され該シートの各面における２次元位置座標値に関連付けて情報が格納された記憶媒体が組み込まれたカートリッジを、前記薄板状基台が前記第１装着面に載置され、前記シートを開いたとき開かれたシートが前記第２装着面に載置されるように前記カートリッジ装着部に装着して使用される電子装置であって、
前記第１装着面は、下側に設けられた下側所定位置と、上側に設けられた上側所定位置と、前記本体の側縁側に位置する第１側縁と、前記第２装着面に隣接する第２側縁とを有し、前記第１装着面には前記第１側縁に隣接して配置された本体用コネクタが設けられており、
前記本体用コネクタは、長手方向が前記第１側縁に沿って延在する溝状孔と、該孔の長手方向に沿って配置され前記処理ユニットに電気的に接続された複数の接続端子と、前記溝状孔の長手方向の下端部に位置するガイド孔とを備えており、
前記カートリッジには、前記第１装着面に面する側に、前記溝状孔に対応して配置され該溝状孔に挿入される薄板状突起部と、該薄板状突起部面にその長手方向に沿って前記本体用コネクタの前記複数の接続端子に対応して配置され前記記憶媒体に電気的に接続された複数の接続端子と、前記ガイド孔に対応して前記薄板状突起部の長手方向下端部に設けられたガイドピンとを備えたカートリッジ用コネクタが設けられており、
前記カートリッジの下端部を前記下側所定位置にあてがい、前記下端部を仮想の回転軸として前記カートリッジを前記カートリッジ装着面側に回転させたときに、その回転に伴って先ず前記ガイドピンの先端が前記ガイド孔に挿入され、次いでガイドピンのガイド孔への挿入によって位置決めされながら、前記薄板状突起部の長手方向下側から前記溝状孔に徐々に挿入されることによって前記カートリッジ用コネクタが前記本体用コネクタに徐々に接続されるように構成されてなることを特徴とする電子装置。
【請求項２】
請求項１記載の電子装置において、前記本体用コネクタは、前記上側所定位置と下側所定位置の間の中間位置より下側所定位置寄りに配置されてなる電子装置。
【請求項３】
請求項１または２に記載の電子装置において、前記ガイド孔は前記溝状孔を挟んでその両側に位置する一対のガイド孔で構成され、前記ガイドピンは前記一対のガイド孔に対応して前記薄板状突起部を挟んでその両側に位置する一対のガイドピンで構成されてなることを特徴とする電子装置。
【請求項４】
請求項１乃至３のうちいずれか１項に記載の電子装置において、前記本体には、複数のペン入力部と複数の操作部が両側に分かれて形成されてなることを特徴とする電子装置。
【請求項５】
請求項４に記載の電子装置において、前記本体は、上側本体と下側本体とを備え、前記上側本体と前記下側本体はヒンジを介して開閉自在に連結され、前記上側本体には前記カートリッジ装着部が形成されているとともに、前記カートリッジ装着部の両側にペン入力部が形成され、前記下側本体の左右両側には操作部が形成されてなることを特徴とする電子装置。
【請求項６】
請求項５に記載の電子装置において、前記下側本体は、前記ヒンジを介して前記上側本体の裏面に接するように回転自在に配置されてなることを特徴とする電子装置。
【請求項７】
請求項６に記載の電子装置において、前記下側本体の裏面と前記上側本体の裏面には互いに係合する係合部材が形成されてなることを特徴とする電子装置。
【請求項８】
情報を処理する情報処理ユニットと、互いに隣接する第１及び第２の装着面を含むカートリッジ装着部と、該カートリッジ装着面に沿って配置された位置検出用パネルとを備えた電子装置に装着して使用するカートリッジであって、
前記第１装着面は、下側に設けられた下側所定位置と、上側に設けられた上側所定位置と、前記本体の側縁側に位置する第１側縁と、前記第２装着面に隣接する第２側縁とを有し、前記第１装着面には前記第１側縁に隣接して配置された本体用コネクタが設けられており、前記本体用コネクタは、長手方向が前記第１側縁に沿って延在する溝状孔と、該孔の長手方向に沿って配置され前記処理ユニットに電気的に接続された複数の接続端子と、前記溝状孔の長手方向の下端部に位置するガイド孔とを備えており、
前記カートリッジは、基板と、シート保持部と、該基板上に配置され一端部が手めくり可能に前記シート保持部に保持された複数のシートと、該シートの各面における２次元位置座標値に関連付けて情報が格納された記憶媒体と、前記第１装着面に面する側に、前記本体用コネクタに対応して、前記基板の前記シート保持部が位置する側縁とは反対側の側縁に隣接して配置されたカートリッジ用コネクタとを備え、
前記カートリッジ用コネクタは、前記溝状孔に対応して配置され該溝状孔に挿入される薄板状突起部と、該薄板状突起部面にその長手方向に沿って前記本体用コネクタの前記複数の接続端子に対応して配置され前記記憶媒体に電気的に接続された複数の接続端子と、前記ガイド孔に対応して前記薄板状突起部の長手方向下端部に設けられたガイドピンとを備え、
前記カートリッジの下端部を前記下側所定位置にあてがい、前記カートリッジ装着部の下端部を仮想の回転軸として前記カートリッジが前記カートリッジ装着部側に回転したときに、その回転に伴って先ず前記ガイドピンの先端が前記ガイド孔に挿入され、次いでガイドピンのガイド孔への挿入によって位置決めされながら、前記薄板状突起部の長手方向下側から前記溝状孔に徐々に挿入されることによって前記カートリッジ用コネクタが前記本体用コネクタに徐々に接続されるように構成されてなることを特徴とするカートリッジ。
【請求項９】
請求項８に記載のカートリッジにおいて、前記ガイド孔は前記溝状孔を挟んでその両側に位置する一対のガイド孔で構成され、前記ガイドピンは前記一対のガイド孔に対応して前記薄板状突起部を挟んでその両側に位置する一対のガイドピンで構成されてなることを特徴とするカートリッジ。
【請求項１０】
請求項８又は９記載のカートリッジにおいて、前記カートリッジ用コネクタは、前記本体用コネクタの位置に対応して、前記カートリッジの回転中心となる前記カートリッジ装着部端部の近傍に配置されてなることを特徴とするカートリッジ。
【請求項１１】
２部材を相対的に回動させて当該２部材を固定する機構において、前記２部材のそれぞれには電子回路とこれに接続するコネクタが設けられており、
前記コネクタの一方は長手方向に延在する溝状孔と、該孔の長手方向に沿って配置され前記電子回路の一方に電気的接続された複数の接続端子と、前記溝状孔の長手方向の一端部に位置するガイド孔とを備えてなり、
前記コネクタの他方は、前記溝状孔に対応して配置され該溝状孔に挿入される薄板状突起部と、該薄板状突起部面にその長手方向に沿って延在し前記本体用コネクタの前記複数の接続端子に対応して配置され前記電子回路の他方に電気的に接続された複数の接続端子と、前記ガイド孔に対応して前記薄板状突起部の長手方向の一端部に設けられたガイドピンとを備えてなり、
前記２部材を相対的に回転させる過程で、先ず前記ガイドピンの先端が前記ガイド孔に挿入され、次いでガイドピンのガイド孔への挿入によって相互に位置決めされながら、前記薄板状突起部の前記一端部側から前記溝状孔に徐々に挿入されることによって当該コネクタ同士がその一端から他端にかけて徐々に接続するように構成されてなる、コネクタ接続構造。
【請求項１２】
前記ガイド孔は前記一端部において前記溝状孔を挟んでその両側に位置する一対のガイド孔で構成され、前記ガイドピンは前記一端部において前記一対のガイド孔に対応して前記薄板状突起部を挟んでその両側に位置する一対のガイドピンで構成されてなることを特徴とする請求項１１記載のコネクタ接続構造。
【請求項１３】
前記ガイドピン及びガイド孔のそれぞれには、前記回動における仮想回転軸から遠い側に前記ガイドピンの基端側から先端に向かうテーパが形成されてなる請求項１１記載のコネクタ接続構造。
【手続補正２】
【補正対象書類名】明細書
【補正対象項目名】０００９
【補正方法】変更
【補正の内容】
【０００９】
前記課題を解決するために、本発明は、情報を処理する情報処理ユニットと、互いに隣接する第１及び第２の装着面を含むカートリッジ装着部と、該カートリッジ装着面に沿って配置された位置検出用パネルとを備えた本体に、薄板状基台と、シート保持部と、該薄板状基台上に配置され一端部が手めくり可能に前記シート保持部に保持された複数のシートと、前記薄板状基台に搭載され該シートの各面における２次元位置座標値に関連付けて情報が格納された記憶媒体が組み込まれたカートリッジを、前記薄板状基台が前記第１装着面に載置され、前記シートを開いたとき開かれたシートが前記第２装着面に載置されるように前記カートリッジ装着部に装着して使用される電子装置であって、前記第１装着面は、下側に設けられた下側所定位置と、上側に設けられた上側所定位置と、前記本体の側縁側に位置する第１側縁と、前記第２装着面に隣接する第２側縁とを有し、前記第１装着面には前記第１側縁に隣接して配置された本体用コネクタが設けられており、前記本体用コネクタは、長手方向が前記第１側縁に沿って延在する溝状孔と、該孔の長手方向に沿って配置され前記処理ユニットに電気的に接続された複数の接続端子と、前記溝状孔の長手方向の下端部に位置するガイド孔とを備えており、前記カートリッジには、前記第１装着面に面する側に、前記溝状孔に対応して配置され該溝状孔に挿入される薄板状突起部と、該薄板状突起部面にその長手方向に沿って前記本体用コネクタの前記複数の接続端子に対応して配置され前記記憶媒体に電気的に接続された複数の接続端子と、前記ガイド孔に対応して前記薄板状突起部の長手方向下端部に設けられたガイドピンとを備えたカートリッジ用コネクタが設けられており、前記カートリッジの下端部を前記下側所定位置にあてがい、前記下端部を仮想の回転軸として前記カートリッジを前記カートリッジ装着面側に回転させたときに、その回転に伴って先ず前記ガイドピンの先端が前記ガイド孔に挿入され、次いでガイドピンのガイド孔への挿入によって位置決めされながら、前記薄板状突起部の長手方向下側から前記溝状孔に徐々に挿入されることによって前記カートリッジ用コネクタが前記本体用コネクタに徐々に接続されるように構成されてなることを特徴とする電子装置を構成したものである。
【手続補正３】
【補正対象書類名】明細書
【補正対象項目名】００１９
【補正方法】変更
【補正の内容】
【００１９】
また、本発明は、情報を処理する情報処理ユニットと、互いに隣接する第１及び第２の装着面を含むカートリッジ装着部と、該カートリッジ装着面に沿って配置された位置検出用パネルとを備えた電子装置に装着して使用するカートリッジであって、前記第１装着面は、下側に設けられた下側所定位置と、上側に設けられた上側所定位置と、前記本体の側縁側に位置する第１側縁と、前記第２装着面に隣接する第２側縁とを有し、前記第１装着面には前記第１側縁に隣接して配置された本体用コネクタが設けられており、前記本体用コネクタは、長手方向が前記第１側縁に沿って延在する溝状孔と、該孔の長手方向に沿って配置され前記処理ユニットに電気的に接続された複数の接続端子と、前記溝状孔の長手方向の下端部に位置するガイド孔とを備えており、前記カートリッジは、基板と、シート保持部と、該基板上に配置され一端部が手めくり可能に前記シート保持部に保持された複数のシートと、該シートの各面における２次元位置座標値に関連付けて情報が格納された記憶媒体と、前記第１装着面に面する側に、前記本体用コネクタに対応して、前記基板の前記シート保持部が位置する側縁とは反対側の側縁に隣接して配置されたカートリッジ用コネクタとを備え、前記カートリッジ用コネクタは、前記溝状孔に対応して配置され該溝状孔に挿入される薄板状突起部と、該薄板状突起部面にその長手方向に沿って前記本体用コネクタの前記複数の接続端子に対応して配置され前記記憶媒体に電気的に接続された複数の接続端子と、前記ガイド孔に対応して前記薄板状突起部の長手方向下端部に設けられたガイドピンとを備え、前記カートリッジの下端部を前記下側所定位置にあてがい、前記カートリッジ装着部の下端部を仮想の回転軸として前記カートリッジが前記カートリッジ装着部側に回転したときに、その回転に伴って先ず前記ガイドピンの先端が前記ガイド孔に挿入され、次いでガイドピンのガイド孔への挿入によって位置決めされながら、前記薄板状突起部の長手方向下側から前記溝状孔に徐々に挿入されることによって前記カートリッジ用コネクタが前記本体用コネクタに徐々に接続されるように構成されてなることを特徴とするカートリッジを構成したものである。